(57)【要約】【課題】知能がある程度発達した乳幼児の興味・関心を確実に惹きつけ、オムツ交換時の労力の負担を軽減することができるような形態の使い捨てオムツを提供する。【解決手段】ストーリー性のある絵柄１１及び１３を使い捨てオムツに表裏に配置し、オムツを表裏に動かすことで変化が楽しめるオムツとし、しかもこのオムツの絵柄を子供の心理発達の成長段階にあったものとする。【選択図】　図３
2004105315.tif 000002
【特許請求の範囲】
【請求項１】
所定のイラスト表示がなされているイラスト表示部を備える使い捨てオムツであって、
前記イラスト表示部は、それぞれ異なるイラストを表示している複数のサブイラスト表示部からなり、当該サブイラスト表示部は、使い捨てオムツに存在する複数の表示面の異なる表示面にそれぞれ配置されていると共に、前記複数のサブイラスト表示部に表示されている各イラストの間には、形状、模様、色彩、観念、あるいはこれらの組み合わせの上で、何らかの関連性もしくは統一性が設定されている使い捨てオムツ。
【請求項２】
前記イラストは、特定のキャラクターが少なくとも一つ以上含まれているイラストである請求項１記載の使い捨てオムツ。
【請求項３】
前記イラストは、最も大きいキャラクターが、４ｃｍ四方の枠外の大きさで描かれているものである請求項２記載の使い捨てオムツ。
【請求項４】
前記複数の表示面は、使い捨てオムツをある「自然な形態」としたときにそれぞれオモテ側になるオモテ側表示面とウラ側になるウラ側表示面とを含むものである請求項１から３いずれか記載の使い捨てオムツ。
【請求項５】
前記複数の表示面は、使い捨てオムツが着用された際に、「自然な形態」で前側領域になる着用時前側表示面と後側領域になる着用時後側表示面とを含むものである請求項１から３いずれか記載の使い捨てオムツ。
【請求項６】
前記着用時前側表示面と前記着用時後側表示面とが別の部材で構成されている請求項５に記載の使い捨てオムツ。
【請求項７】
前記「形状、模様、色彩、観念、あるいはこれらの組み合わせの上で、何らかの関連性もしくは統一性」は、前記複数のサブイラスト表示部に表示されている各イラストの間で簡単なストーリーを表現するものである請求項１から５いずれか記載の使い捨てオムツ。
【請求項８】
前記サブイラスト表示部が配置されている表示面が、透湿性のシートで構成されている請求項１から７いずれか記載の使い捨てオムツ。
【請求項９】
使用後の処理をするためのテープが取り付けられている請求項１から８いずれか記載の使い捨てオムツ。
【請求項１０】
前記テープが、前記サブイラスト表示部にかかりにくいように設定されている請求項９に記載の使い捨てオムツ。
【請求項１１】
前記テープが、前記サブイラスト表示部にかかるように設定されているとともに、当該サブイラスト表示部にかかると想定される部分が透明である請求項９に記載の使い捨てオムツ。
【請求項１２】
前記テープが、オムツの胴部の両脇近傍に取り付けられていることを特徴とする請求項９から１１いずれか記載の使い捨てオムツ。
【請求項１３】
月齢３６ヶ月以下幼児用使い捨てオムツである請求項１から１２いずれか記載の使い捨てオムツ。
【請求項１４】
月齢１２ヶ月以上２４ヶ月未満の幼児用使い捨てオムツである請求項１から１２いずれか記載の使い捨てオムツ。
【請求項１５】
月齢１８ヶ月以上２４ヶ月未満の幼児用使い捨てオムツである請求項１から１２いずれか記載の使い捨てオムツ。
【請求項１６】
体重６ｋｇ〜１４ｋｇ幼児用使い捨てオムツである請求項１から１５いずれか記載の使い捨てオムツ。
【請求項１７】
前記使い捨てオムツがテープ型オムツである請求項１から１６いずれか記載の使い捨てオムツ。
【請求項１８】
前記使い捨てオムツがパンツ型オムツである請求項１から１６いずれか記載の使い捨てオムツ。
【発明の詳細な説明】
【０００１】
【発明の属する技術分野】
本発明はイラストを備えた使い捨てオムツ、特にストーリー性等のあるイラストを表裏等に備えた使い捨てオムツに関する。
【０００２】
【従来の技術】
オムツ交換を嫌がって暴れる赤ちゃんのオムツを換えることは、交換者にとって、体力的、精神的に大きな負担である。そして、このような負担を軽減するために、子供が喜ぶであろうと考えられる絵柄をオムツに付すようなことが行われている。実際に、かわいらしいキャラクターの絵柄を表裏に付したような紙オムツも出回っている。
【０００３】
しかしながら、このような紙オムツには、実際には、期待したほどの効果はなく、実際には、乳幼児（特に、手足が動かせる、ハイハイができる、歩いたり、走ったりできる、というような運動レベルに発達した子供）は、オムツ換えを嫌がり、逃げたり暴れたりするので、交換者のオムツ換え負担の問題は解決されていなかった。
【０００４】
なお、これに関する従来例としては、以下のようなものがある。
【０００５】
特許文献１には、交換者が子供を楽しませたり、トイレトレーニングをする子供のモチベーションを高める目的で、描かれたイラストのインパクトを弱めないように、バックシートにおける不織布の光透過率を８０％以上にしたものが記載されている。
【０００６】
また、この特許文献１には、体重１５ｋｇ以上の幼児を対象としたトレーニングパンツに、子供のトイレトレーニングのモチベートを向上させるために、濡れたら消えるお知らせデザインを取り入れたものも記載されている。
【０００７】
【特許文献１】
国際公開第０１／４９２３０号パンフレット
【０００８】
【発明が解決しようとする課題】
しかしながら、このような従来例にあっては、「子供＋パンツ」の意匠性が、母親を満足させているというだけであって、期待するほど、子供心を惹きつけてはいない。こうしたことから実際は、子供の興味や関心が他に行ってしまうような事態も生じていた。
【０００９】
本発明は以上のような課題に鑑みてなされたものであり、その目的は、母親を満足させるのではなく、知能がある程度発達した乳幼児の興味・関心を確実に惹きつけ、オムツ交換時の労力の負担を軽減することができるような形態の使い捨てオムツを提供することにある。
【００１０】
【課題を解決するための手段】
以上のような課題を解決するために、本発明においては、ストーリー性のある絵柄を使い捨てオムツに表裏に配置し、オムツを表裏に動かすことで変化が楽しめるオムツとし、しかもこのオムツの絵柄を子供の心理発達の成長段階にあったものとすることとしている。
【００１１】
ここで、一般的に言われていることとして、出願人らの独自の調査により、「乳幼児の視力は６ヶ月で０．０４〜０．０８、１２ヶ月で０．２〜０．２５、２４ヶ月で０．５から０．６程度しかなく、キャラクターの違いがわかるのは１歳を過ぎてからである。また、出願人らの独自の調査により、特に、６ヶ月〜１７ヶ月の幼児は、ガラガラや吊るしメリーといった、音が出たり、カラフルに色づけされた、おもちゃの動きを興味深く眺め、１８ヶ月〜２４ヶ月の幼児は、イナイイナイバアといった、簡単なストーリー展開を認識して喜ぶ」ということが判明した。
【００１２】
これに関して言えば、濡れたら消えるお知らせデザインなどというものがあるがゆえに、ある程度知能の発達した子供などは、目的とすべき「オムツ離れ」とは違った方向に誘導されてしまう（例えば、色が変わるのを面白がって、オムツにわざとおしっこをする）可能性を否定できない。子供のオムツ使用において起こりうるであろう、幅広い状況、子供の行動パターンの中での問題行動に基づいて活路を見出したと言うのは、出願人らの大いなる成果である。
【００１３】
更に言えば、オムツ交換時における交換者（特に母親）の体力的、精神的負担を低減し、子供の健全な発育を促進させるため、オムツ交換時における親子のコミュニケーションの質を向上させる工夫が必要であるが、これらの背景からオムツを使用する月齢の幼児を喜ばせるには、数多くのイラストバリエーションよりも、子供を喜ばせたいそのときに、動きがあって、ドラスティックな変化を与えることが重要であるということが、本出願人らの研究によって明らかになり、それに基づいて本発明を完成するに至ったのである。そして、この工夫は、楽しくオムツ換えができ、子供の心理発達に悪い影響を与えにくいものとなりうる。
【００１４】
より具体的には、本発明においては以下のようなものを提供する。
【００１５】
（１）　所定のイラスト表示がなされているイラスト表示部を備える使い捨てオムツであって、前記イラスト表示部は、それぞれ異なるイラストを表示している複数のサブイラスト表示部からなり、当該サブイラスト表示部は、使い捨てオムツに存在する複数の表示面の異なる表示面にそれぞれ配置されていると共に、前記複数のサブイラスト表示部に表示されている各イラストの間には、形状、模様、色彩、観念、あるいはこれらの組み合わせの上で、何らかの関連性もしくは統一性が設定されている使い捨てオムツ。
【００１６】
本発明によれば、イラスト表示部が使い捨てオムツに存在する複数の表示面の異なる表示面にそれぞれ配置されていると共に、前記複数のサブイラスト表示部に表示されている各イラストの間には、形状、模様、色彩、観念、あるいはこれらの組み合わせの上で、何らかの関連性もしくは統一性が設定されているので、オムツを交換する際に、オムツの片面にある一番目のイラストを見せて、次に別の片面にある２番目のイラストを子供に見せることによって、ストーリーの展開を認識させて興味を抱かせることができる。
【００１７】
なお、「表面」というのは、使用者の目に見えるところを意味する。「表示面」というのは、使い捨てオムツを、ある「自然な形態」としたときに、当該ある「自然な形態」に対応して使用者の目に見えることとなる表面のことを意味する。「自然な形態」というのは、使い捨てオムツを引っ張ったり、捻ったりというような形態のときに生ずる不自然な形態に対抗する概念であり、使い捨てオムツを引っ張ったり、捻ったりすることなく置いたときに当該使い捨てオムツがとる通常の形態のことを意味する。使い捨てオムツが「自然な形態」となっているときには、その「自然な形態」に対応してオモテ面に現出する、使い捨てオムツが自然な形態であるときに使用者に見える表面である表示面が、使用者の目に付くことになる。
【００１８】
（２）　前記イラストは、特定のキャラクターが少なくとも一つ以上含まれているイラストである（１）記載の使い捨てオムツ。
【００１９】
本発明によれば、イラストとして特定のキャラクターが含まれているので、オムツに表示されているイラストに対し、子供が興味を持つことになる。
【００２０】
「キャラクター」というのは、いわゆる「背景」に対する概念であり、人物、動物、植物、もしくは乗り物など、何らかの個性をもった対象物や興味ある動作を伴う対象物をそのままもしくは模した状態であらわしたものを意味する。
【００２１】
（３）　前記イラストは、最も大きいキャラクターが、４ｃｍ四方の枠外の大きさで描かれているものである（２）記載の使い捨てオムツ。
【００２２】
本発明によれば、イラストの大きさは少なくとも４ｃｍ平方の枠外で配置されているものであり、好ましくは、ＪＩＳ　Ｚ８７２６に示される、Ｌ＊ａ＊ｂ＊表色系のａ＊またはｂ＊の絶対値が２０以上の色が少なくとも１色以上用いて描かれているので、乳幼児が絵柄を識別することになる。尚、これより小さい、あるいはこれよりも色相の低い色のみで描かれた絵柄は、視力が未発達な幼児には認識しにくいといわれている。
【００２３】
（４）　前記複数の表示面は、使い捨てオムツをある「自然な形態」としたときにそれぞれオモテ側になるオモテ側表示面とウラ側になるウラ側表示面とを含むものである（１）から（３）いずれか記載の使い捨てオムツ。
【００２４】
本発明によれば、複数の表示面は、使い捨てオムツをある「自然な形態」としたときにそれぞれオモテ側になるオモテ側表示面とウラ側になるウラ側表示面とを含むので、これら表示面に図柄を表示でき、オムツの前みごろおよび後みごろのいずれにも図柄を有することになる。また、オモテ側表示面とウラ側表示面にストーリ性を有する図柄を表示でき、オムツのオモテ側とウラ側を交互に見せることにより、図柄が変化し、その変化はストーリ性を有するので、着用者である乳幼児が興味を持つことになる
【００２５】
（５）　前記複数の表示面は、使い捨てオムツが着用された際に、「自然な形態」で前側領域になる着用時前側表示面と後側領域になる着用時後側表示面とを含むものである（１）から（３）いずれか記載の使い捨てオムツ。
【００２６】
本発明によれば、複数の表示面は、使い捨てオムツが着用された際に、「自然な形態」で前側領域になる着用時前側表示面と後側領域になる着用時後側表示面とを含むので、これら表示面に図柄を表示でき、オムツを着用した際、前側領域になる着用時前側表示面と後側領域になる着用時後側表示面のいずれにも図柄を有することになる。また、前側領域になる着用時前側表示面と後側領域になる着用時後側表示面にストーリ性を有する図柄を表示でき、オムツを広げたり、畳んだりすることにより、図柄が変化し、その変化はストーリ性を有するので、着用者である乳幼児が興味を持つことになる。
【００２７】
（６）　前記着用時前側表示面と前記着用時後側表示面とが別の部材で構成されている（５）記載の使い捨てオムツ。
【００２８】
前記着用時前側表示面と、前記着用時後側表示面の少なくともイラストを配置した部位を構成する部材が別の部材で構成されていることにより、必要最小限の部材でオムツを構成することができるので、色やイラストのバリエーションがつけやすく、省資源化、コストダウンが可能となる。
【００２９】
（７）　前記「形状、模様、色彩、観念、あるいはこれらの組み合わせの上で、何らかの関連性もしくは統一性」は、前記複数のサブイラスト表示部に表示されている各イラストの間で簡単なストーリーを表現するものである（１）から（５）いずれか記載の使い捨てオムツ。
【００３０】
本発明によれば、「形状、模様、色彩、観念、あるいはこれらの組み合わせの上で、何らかの関連性もしくは統一性」は、前記複数のサブイラスト表示部に表示されている各イラストの間で簡単なストーリーを表現するものであるので、着用者である子供がこのストーリー性に興味を持ち、オムツの交換がスムーズになる。
【００３１】
（８）　前記サブイラスト表示部が配置されている表示面が、透湿性のシートで構成されている（１）から（７）いずれか記載の使い捨てオムツ。
【００３２】
本発明によれば、サブイラスト表示部が配置されている表示面が、透湿性のシートで構成されているので、装着時のムレを防ぐことができる。
【００３３】
（９）　使用後の処理をするためのテープが取り付けられている（１）から（８）いずれか記載の使い捨てオムツ。
【００３４】
本発明において、オムツにはテープが取り付けられているので、このテープによって、使用後に廃棄処理する際に、丸めまたは折り畳んだ状態でオムツを止めることができ、コンパクトに廃棄できる。また、テープで止めつけることによりオムツの中に丸め込んだ便等が飛び出ることもない。尚、テープの取り付け位置は、図柄の上方からウエスト開口部に向けて上下方向（図２（ｂ）参照）に、もしくは、オムツの胴部の両脇近傍にオムツの端部から外方に向けて左右方向（図１４（ｂ）参照）に取り付けられる。
【００３５】
（１０）　前記テープが、前記サブイラスト表示部にかかりにくいように設定されている（９）記載の使い捨てオムツ。
【００３６】
本発明によれば、テープはサブイラスト表示部にかからないよう設定されているので、テープがイラストに重ならないため絵柄を損ねることがない。
【００３７】
「サブイラスト表示部にかかりにくいように設定されている」というのは、例えば、十分に距離を離すとか形態の上で何らかの工夫を加えて物理的な障壁を形成するようなことを意味する。
【００３８】
（１１）　前記テープが、前記サブイラスト表示部にかかるように設定されているとともに、当該サブイラスト表示部にかかると想定される部分が透明である（９）記載の使い捨てオムツ。
【００３９】
本発明によれば、テープはサブイラスト表示部にかかるように設定されていても、サブイラスト表示部にかかる部分が透明になっているので、テープがイラストにかかっても絵柄を見ることができるため、絵柄を損ねることがない。
【００４０】
（１２）　前記テープが、オムツの胴部の両脇近傍に取り付けられていることを特徴とする（９）から（１１）いずれか記載の使い捨てオムツ。
【００４１】
本発明によれば、テープはオムツの胴部の両脇近傍に取り付けられているので、使用したオムツを折り畳んだ際に、テープが隣り合うことになるので、短いテープで止めつけることができる。
【００４２】
（１３）　月齢３６ヶ月以下幼児用使い捨てオムツである（１）から（１２）いずれか記載の使い捨てオムツ。
【００４３】
本発明の使い捨てオムツは、絵柄を識別して、簡単なイラストのストーリー性を興味を持ちやすいのは月齢３６ヶ月以下幼児であり、この月齢の幼児を着用対象者とするものである。
【００４４】
（１４）　月齢１２ヶ月以上２４ヶ月未満の幼児用使い捨てオムツである（１）から（１２）いずれか記載の使い捨てオムツ。
【００４５】
月齢１２ヶ月以上２４ヶ月未満の幼児は絵柄を識別できるので、イラストに興味を持ち、オムツの取り替えがスムーズに進めることができる。
【００４６】
（１５）　月齢１８ヶ月以上２４ヶ月未満の幼児用使い捨てオムツである（１）から（１２）いずれか記載の使い捨てオムツ。
【００４７】
この場合、着用対象者が月齢１８ヶ月以上２４ヶ月未満の幼児である。月齢１２ヶ月〜２４ヶ月の幼児は、キャラクターの違いがわかるようになり、「イナイイナイバア」といった簡単なストーリー展開を認識して喜ぶので、オムツに簡単なストーリー性のあるイラストを表示することにより、子供を喜ばせることができる
【００４８】
（１６）　体重６ｋｇ〜１４ｋｇ幼児用使い捨てオムツである（１）から（１５）いずれか記載の使い捨てオムツ。この場合、着用対象者が体重６ｋｇ〜１４ｋｇの幼児である。
【００４９】
（１７）　前記使い捨てオムツがテープ型オムツである（１）から（１６）いずれか記載の使い捨てオムツ。
【００５０】
本発明のテープ型オムツとは、止着テープで、脇を止めることによって装着できる形状のオムツをいう。
【００５１】
（１８）　前記使い捨てオムツがパンツ型オムツである（１）から（１６）いずれか記載の使い捨てオムツ。
【００５２】
【発明を実施するための形態】
図１、２、３はこの発明の実施の好適な一実施形態を示す図である。
【００５３】
図１で示されるのはオムツである。オムツ１の構成は特に限定しないが、例えば、ウエスト開口部２と脚開口部３を有するアウター部４と、アウター部４の股間部近傍に具備された、インナー部５からなり、インナー部５をアウター部４に接着して、オムツ１を形成することができる。アウター部４とインナー部５を組み立てる際には、ヒートシール、超音波シール、ホットメルト接着剤などを用いることができる。
【００５４】
インナー部５は、肌接触面に具備された、トップシート６と吸収体７からなる。トップシート６には、親水性の不織布や、開孔プラスチックなどの液透過性シートを用いる。ここでいう不織布は、スパンボンド、スパンレース、ニードルパンチ、メルトブローン、サーマルボンド、ケミカルボンド、エアースルーなどの製法で作られたもので、不織布の繊維には、ポリオレフィン系、ポリエステル系、ポリアミド系の繊維、または、ポリエチレン、ポリプロピレンやポリエステルで形成された、シースコア型複合繊維、または、サイドバイサイド型繊維を使うことができる。
【００５５】
吸収体７は、親水性繊維と高吸収性ポリマーからなる。親水性繊維は、パルプ、レーヨン、アセテート、コットン等の吸収性繊維、熱可塑性合成樹脂繊維を親水化した繊維などが採用される。保持した体液を漏らさないために、プラスチックフィルムを具備することができる。
【００５６】
アウター部４は、耐液性、肌触りのよさ、通気性を両立させる為、単一または、複数のシートから構成される。例えば、疎水性の不織布、不透水性のプラスチックフィルム、これらを貼り合わせたシートを用いることができる。上記プラスチックフィルムは、フィラーを混入した後、延伸することで、通気性、透湿性を高めることができる。
【００５７】
オムツ１の胴回りの部分８には、ウエスト開孔部２に沿って、延びる弾性体９が複数設けられている。これら弾性体９，１０はアウター部４を構成する複数のシートの間に設けられており、挟み込んだ２枚のシートの間に弾性体が伸長した状態で、ホットメルトによって接合されている。
【００５８】
弾性体９，１０としては、天然ゴム、合成ゴム、熱可塑性合成樹脂からなるプラスチックシートが採用可能である。
【００５９】
アウター部４の、腹側または背側で、外から確認できる位置には、図柄１１が配置されており、特定の人物、動物、植物（以降、キャラクターと表現する）が、少なくとも一つ以上含まれ、さらに、オムツを装着した際に実質、前身ごろ、後身ごろになる部分に共通したキャラクターが少なくとも一つ以上存在する。図柄に配置されたキャラクターのうち、最も大きく配置されているキャラクター１２は、４ｃｍ四方の枠外で配置されていることが望ましい。
【００６０】
オムツを使用するターゲット月齢（３６ヶ月未満）の乳幼児は、６ヶ月で０．０４〜０．０８、１２ヶ月で０．２〜０．２５、２４ヶ月で０．５から０．６程度の視力であるため、上記で指定した、大きさよりも小さいと、交換者がオムツを手にとって子供に見せた際に、はっきり見えないため、違いを判別することができないからである。図３は図柄１１を背側に配置（図３（ａ））し、腹側には図柄１１に関連する図柄１３が配置されたものである。尚、図柄１１が腹側に配置された場合は、背側の位置に図柄１３が配置される。図柄１１、図柄１３に存在するねこのキャラクター１２は、前述、前提で関連づけられることにより、図柄１１と図柄１３は簡単なストーリーを表現できる。また、オムツの片面にある一番目のストーリーを見せて、そのまま裏返せば、別の片面にある２番目のストーリーを子供に見せることができる。
【００６１】
図柄１１と図柄１３に最も大きく配置されたキャラクター１２は、下記表１に示した前提の内一つ、または複数の組み合わせで関連づけられている（図４〜１３）。
【００６２】
【表１】
2004105315.tif 000003
【００６３】
イラストの配置方法は、オムツの外から確認できるように配置されていれば、特に限定されない。例えば、アウター部４を構成する不織布、またはフィルムに直接印刷されていてもよいし、あらかじめイラストを印刷したフィルムをアウター部４を構成しているフィルムに貼り付けても良い。また、インナー側に上記の方法で配置されていても良い。アウター部４の外側表面には、オムツを廃棄する際に丸めて止める為のテープ１４が接着されている。テープ１４は、プラスチックフィルムに粘着剤が塗布されており、つかみ部を確保する為に、片端に粘着剤非塗工部が存在する。テープ１４はアウター部４の外側表面に直接固定された、実質離形性のあるフィルム上にテープ１４の粘着剤が当たるよう、具備されている。必要なテープ長さを確保できるよう、Ｚ折り形状に固定しても良いし、伸縮性のあるテープ基材を用いても良い。
【００６４】
このテープ１４は、アウター部４の外側表面の図柄１１，１３に重ならない、もしくは、少なくとも、イラスト１１、１３にかかる部分が透明な方が、より見やすくなる。テープ１４は、必要に応じて２つ具備されていても良い（図１４，１５）。
【００６５】
ここで、本実施例におけるオムツの交換時に使用したときの母子コミュニケーション評価の結果を示す。
【００６６】
以下のサンプルを用いてオムツ交換を行った（図１５）。
【００６７】
【表２】
2004105315.tif 000004
【００６８】
イラストはほぼ中央に、８ｃｍ×８ｃｍの枠いっぱいに収まる大きさに配置した。
【００６９】
以下の過程をオムツ交換の時間とした。
【００７０】
【表３】
2004105315.tif 000005
【００７１】
オムツの交換時間内のコミュニケーションを定量化するために、母子相互作用という指標を用いた。
【００７２】
【数１】
2004105315.tif 000006
【００７３】
シグナル値とは、子供、または母親から発信され、泣く、笑う、声を発する、など自身の意思を相手に伝えるための働きかけ全てを指す。
【００７４】
子供から発信された場合を１とし、喜び、快感等ポジティブな感情に伴うものをプラス、不快、苦痛等ネガティブな感情につながるものをマイナスと定義した。この具体例を図１６に示す。さらに、この子供から発信されたシグナルに対する母親のレスポンスが認められた場合、その絶対値を２とカウントした。
【００７５】
例えば、母親が子供を誘導している間、泣いて逃げた子供を母緒が押さえつける状況が３０秒、新しいオムツに取り替えている間に子供が笑い、母親が声をかける状況が２０秒、母親がオムツを捨てに行っている間、子供がバブバブと機嫌よく声を発しているのが１０秒であった場合、
【００７６】
母子相互作用値＝（−２）×３０＋（＋２）×２０＋（＋１）×１０＝−１０となる。
【００７７】
母子相互作用値がプラス方向に数字が高いほど、母と子のコミュニケーションがより長時間継続したことを意味する。
【００７８】
上記サンプル、方法で、６ヶ月以上１２ヶ月未満、１２ヶ月以上１８ヶ月未満、１８ヶ月以上２４ヶ月未満、２４ヶ月以上３６ヶ月未満の幼児と母親において、各２母子に検証を行い、平均値を算出した。その結果を図１７に示した。
【００７９】
母子相互作用値は、従来例１＜従来例２≪実施例の順に高く、従来例より実施例２のほうが、オムツ換え時間中に、より質の高いコミュニケーションが取れることが証明された。しかも、１８ヶ月以上２４ヶ月未満の幼児に特に顕著に見られ、この月齢の幼児の心理発達に非常に効果的であることがわかった。
【００８０】
図１８は、本発明に係る使い捨てオムツの第二の実施形態を示す図で、図１９は、図１８の別の実施対応を示す図である。
【００８１】
図１８で示されるのは図柄がオムツのアウター部に表示されたオープン型オムツ１５である。当該おむつ１５は、オムツの構成は特に限定しないが、装着した際に胴回り部分を構成する胴回り部１６を上下に有し、装着した際に脚部を形成する切り込みが形成された中間部１７に有する形状であって、装着した際に、図１に示すオムツのインナー部に相当する部分には肌接触面（身体面側）となるトップシートと吸収体からなる（図示せず）。
【００８２】
トップシートには、前述の実施形態で説明したように、親水性の不織布や、開孔プラスチックなどの液透過性シートを用いる。ここでいう不織布は、スパンボンド、スパンレース、ニードルパンチ、メルトブローン、サーマルボンド、ケミカルボンド、エアースルーなどの製法で作られたもので、不織布の繊維には、ポリオレフィン系、ポリエステル系、ポリアミド系の繊維、または、ポリエチレン、ポリプロピレンやポリエステルで形成された、シースコア型複合繊維、または、サイドバイサイド型繊維を使うことができる。
【００８３】
また、吸収体は、トップシートの裏面側（反身体面側）に配置された前述したと同じく親水性繊維と高吸収性ポリマーからなる。親水性繊維は、パルプ、レーヨン、アセテート、コットン等の吸収性繊維、熱可塑性合成樹脂繊維を親水化した繊維などが採用される。保持した体液を漏らさないために、プラスチックフィルムを具備することができる。
【００８４】
また、反身体面側のアウター部１８は、耐液性、肌触りのよさ、通気性を両立させる為、単一または、複数のシートから構成されるバックシートからなる。例えば、疎水性の不織布、不透水性のプラスチックフィルム、これらを貼り合わせたシートを用いることができる。上記プラスチックフィルムは、フィラーを混入した後、延伸することで、通気性、透湿性を高めることができる。
【００８５】
それぞれの胴回り部１６の外先端縁には左右方向に亘って延びる弾性体１９が、また、中間部１７の両外端縁には切り込みに沿って延びる弾性体２０が複数設けられている。これら弾性体１９、２０はアウター部１８を構成する複数のシートの間に設けられており、挟み込んだ２枚のシートの間に弾性体が伸長した状態で、ホットメルトによって接合されている。
【００８６】
また、装着した際に後みごろとなる胴回り部１６には、長手方向の両先端に外方に延びる形でテープ２１が取付けられてある。また、装着した際に前みごろとなる胴回り部１６’には、長手方向にテープ２１’が取付けられてある。尚、これらテープは使用後の後処理用のテープとしての役割を兼ねている。
【００８７】
アウター部１８には、図１７に示すように胴周り部１６から中間部にかけて関連する絵柄が表示されている。この種のオープン型オムツは通常折り畳んだ状態であるので、着用に当たっては折り畳んだ状態から広げることになるが、この際絵柄は図１７に示すように矢印に順に絵柄が変化し、一種のストーリーを展開していく。即ち、折り畳まれたオムツを下方に広げていく際に、まず最初の表示は、人が船に乗って釣りをしている絵柄２２が表示されている。次に、このオムツの折り畳みを一つ広げることにより小さな魚が釣り糸の周りに群がっている絵柄２３の表示が現れる。さらに、折り畳みを広げると、小さな魚を食べようとしている大きな魚の絵柄２４が現れるといったストーリーの展開を子供に見せることができる。
【００８８】
また、図１９は図１８の別の図柄の表示をしたものであって、図１９のオープン型おむつ１５は、アウター部１８の胴回り部１６に左右方向にかけて関連する絵柄が表示されている。折り畳んだ状態から広げることにより、図１８に示すように矢印に順に絵柄が変化し、一種のストーリーを展開していく。即ち、人が船に乗って釣りをしている絵柄２２が表示されている折り畳まれたオムツを下方に広げた後、胴回り部１６を左右に広げると釣り糸の先には魚が釣れている絵柄２５が現れるといったストーリーの展開を子供に見せることができる。尚、この表示はアウター部１８の胴回り部１６’に表示してもよいし、いずれの胴回り部に表示してもよい。尚、当該オムツ１５の構成、材質他は、図１８に示したオムツと同様である。
【００８９】
このように、折り畳まれたオムツを一つづつ広げることで次の展開を見せると、子供が喜び、それに母親が答えることによって、互いの声かけ、アイコンタクトをとるようにしてもよい。
【００９０】
これら絵柄の配置方法は、前述の実施形態で説明したように、オムツの外から確認できるように配置されていれば、特に限定されない。例えば、アウター部１８を構成する不織布、またはフィルムに直接印刷されていてもよいし、あらかじめイラストを印刷したフィルムをアウター部１８を構成しているフィルムに貼り付けても良い。また、インナー側に上記の方法で配置されていても良い。
【００９１】
また、テ−プ２１は、アウター部１８の外側表面の絵柄に重ならない、もしくは、少なくとも絵柄にかかる部分が透明な方が、より見やすくなる。
【００９２】
【発明の効果】
以上のような本発明に係る使い捨てオムツによれば、オムツの表を見せ、裏を返して次の展開を見せる、あるいは折り畳まれたオムツを１つづつ広げて次の展開を見せるというようにすることで、母親が子供に話しかけるきっかけを与え、母親の働きかけに対して、子供が喜び、それに母親が答えることによって、互いの声かけ、アイコンタクトが自然に増えるので、コミュニケーションの質が向上する。母親の子供に対する愛着心が深まり、幼児の健全な発育を促進させることができる。
【００９３】
また、幼児の機嫌が良い状態でオムツ交換できるので、オムツ交換による体力的、精神的負担を低減させることになる。
【図面の簡単な説明】
【図１】実施形態に係る紙オムツの全体構成を示す図である。
【図２】実施形態に係る紙オムツのキャラクターを示す図である。
【図３】実施形態に係る紙オムツの動作を説明するための図で、（ａ）は腹側に表示された図であり、（ｂ）は背側に表示された図である。
【図４】本発明の好適な一実施形態を示す図である。
【図５】本発明の好適な一実施形態を示す図である。
【図６】本発明の好適な一実施形態を示す図である。
【図７】本発明の好適な一実施形態を示す図である。
【図８】本発明の好適な一実施形態を示す図である。
【図９】本発明の好適な一実施形態を示す図である。
【図１０】本発明の好適な一実施形態を示す図である。
【図１１】本発明の好適な一実施形態を示す図である。
【図１２】本発明の好適な一実施形態を示す図である。
【図１３】本発明の好適な一実施形態を示す図である。
【図１４】図１の実施形態に係る紙オムツについて、テープ取付け位置の別の形態を示す図で、（ａ）は腹側に表示された図であり、（ｂ）は背側に表示された図である。
【図１５】実施例を説明するための図である。
【図１６】実施例の効果を示す図である。
【図１７】実施例の結果を示す図である。
【図１８】本発明に係る紙オムツの第二の実施形態の動作を説明するための図である。
【図１９】図１８に示す紙オムツの別の図柄の表示をした実施形態の動作を説明するための図である。
【符号の説明】
１、１５　オムツ本体
１１、１３、２２、２３，２４，２５　図柄
１２　キャラクター
１４　後処理テープ
２１、２１’　止めつけテープ
【図１】
2004105315.tif 000007
【図２】
2004105315.tif 000008
【図３】
2004105315.tif 000009
【図４】
2004105315.tif 000010
【図５】
2004105315.tif 000011
【図６】
2004105315.tif 000012
【図７】
2004105315.tif 000013
【図８】
2004105315.tif 000014
【図９】
2004105315.tif 000015
【図１０】
2004105315.tif 000016
【図１１】
2004105315.tif 000017
【図１２】
2004105315.tif 000018
【図１３】
2004105315.tif 000019
【図１４】
2004105315.tif 000020
【図１５】
2004105315.tif 000021
【図１６】
2004105315.tif 000022
【図１７】
2004105315.tif 000023
【図１８】
2004105315.tif 000024
【図１９】
2004105315.tif 000025